(57)【要約】本発明は、ラチス支持構造の長手方向に延びているラチス材、及び、直接間接を問わずそれらを連結するラチス材を備え、ラチス支持構造の長手方向に延びているラチス材の間隔を、ラチス支持構造の折り畳み時に減少させ、且つ、ラチス支持構造の展開時に広げることができるように、連結ラチス材が長手方向に延びているラチス材に連結され、長手方向に延びているラチス材の少なくとも１つが、ラチス支持構造の折り畳み時及び展開時に定位置に位置するように固定されて配置され、且つ、長手方向に延びているラチス材の少なくともさらなる１つが、ラチス支持構造の折り畳み時及び展開時に移動するように可動に配置される、相互に連結されたラチス材を備えているラチス支持構造に関するものである。【選択図】図７
2011527388.tif 000002
【特許請求の範囲】
【請求項１】
ラチス支持構造の長手方向に延びているラチス材(10,10')、及び、直接間接を問わずそれらを連結するラチス材(20,30,50)を備え、上記ラチス支持構造の長手方向に延びている上記ラチス材(10,10')の間隔を、上記ラチス支持構造の折り畳み時に減少させることができ、且つ、上記ラチス支持構造の展開時に増大させることができるように、上記連結ラチス材(20,30,50)が長手方向に延びている上記ラチス材(10,10')に連結される、相互に連結されるラチス材(10,10',20,30,50)を備えているラチス支持構造であって、
上記ラチス支持構造の折り畳み時及び展開時に定位置に固定されるように、長手方向に延びている上記ラチス材(10)の少なくとも１つが固定された態様で配置され、且つ、上記ラチス支持構造の折り畳み時及び展開時に移動するように、長手方向に延びている上記ラチス材(10')の少なくともさらなる１つが可動に配置されていることを特徴とするラチス支持構造。
【請求項２】
ラチス支持構造の長手方向に延びているラチス材(10,10')、及び、直接間接を問わずそれらを連結するラチス材(20,30,50)を備え、上記ラチス支持構造の長手方向に延びている上記ラチス材(10,10')の間隔を、上記ラチス支持構造の折り畳み時に減少させることができ、且つ、上記ラチス支持構造の展開時に増大させることができるように、上記連結ラチス材(20,30,50)が長手方向に延びている上記ラチス材(10,10')に連結される、相互に連結されたラチス材(10,10',20,30,50)を備えているラチス支持構造であって、
上記ラチス支持構造の折り畳み時及び展開時に、上記ラチス支持構造の長手方向に延びている他のラチス材に対して相対運動を行うように、長手方向に延びている上記ラチス材(10,10')が少なくとも２つ配置されていることを特徴とするラチス支持構造。
【請求項３】
請求項２記載のラチス支持構造において、
上記ラチス支持構造は、請求項１の上記特徴部分に従って構成されていることを特徴とするラチス支持構造。
【請求項４】
請求項１〜３のいずれか１つに記載のラチス支持構造において、
長手方向に延びている上記固定ラチス材(10)と、長手方向に延びている上記可動ラチス材(10')とが、上記ラチス支持構造の周辺方向において、交互にお互いの次に来ることを特徴とするラチス支持構造。
【請求項５】
請求項１〜４のいずれか１つに記載のラチス支持構造において、
長手方向に延びている上記可動ラチス材(10')は、上記ラチス支持構造の折り畳み時および展開時に移動し、それによって、長手方向に延びている上記可動ラチス材(10')の、間隔および上記ラチス支持構造の長手方向における相対位置が、長手方向に延びている上記固定ラチス材(10)に対して変化することを特徴とするラチス支持構造。
【請求項６】
請求項１〜５のいずれか１つに記載のラチス支持構造において、
上記連結ラチス材(20,30,50)は、上記ラチス支持構造の長手方向に延びている上記ラチス材(10,10')に、枢動可能に及び／又は移動可能に連結されていることを特徴とするラチス支持構造。
【請求項７】
請求項１〜６のいずれか１つに記載のラチス支持構造において、
上記連結ラチス材(20,30,50)は、上記ラチス支持構造の１つの外表面または複数の外表面に配置されていることを特徴とするラチス支持構造。
【請求項８】
請求項１〜７のいずれか１つに記載のラチス支持構造において、
上記ラチス支持構造の長手方向に延びている上記ラチス材(10,10')が、上記ラチス支持構造の外縁部を形成することを特徴とするラチス支持構造。
【請求項９】
請求項１〜８のいずれか１つに記載のラチス支持構造において、
長手方向に反復する、長手方向に延びているラチス材(10,10')、及び、連結ラチス材(20,30,50)で構成される構造を備えていることを特徴とするラチス支持構造。
【請求項１０】
請求項１〜９のいずれか１つに記載のラチス支持構造において、
上記連結ラチス材(20,30,50)の少なくともいくつかが、上記ラチス支持構造が展開された状態では、上記ラチス支持構造の長手方向に延びている上記ラチス材(10)の一方から他方へ、上記ラチス支持構造の長手方向と垂直に延びる連結ストラット(50)によって形成されていることを特徴とするラチス支持構造。
【請求項１１】
請求項１〜１０のいずれか１つに記載のラチス支持構造において、
上記連結ストラット(50)は、それによって当該連結ストラットを折り畳まれた状態ないし展開された状態に調整することができる、少なくとも１つのジョイントを有していることを特徴とするラチス支持構造。
【請求項１２】
請求項１〜１１のいずれか１つに記載のラチス支持構造において、
上記連結ラチス材(20,30,50)は、少なくとも一部が相互に連結されていることを特徴とするラチス支持構造。
【請求項１３】
請求項１〜１２のいずれか１つに記載のラチス支持構造において、
それによって上記連結ラチス材(20,30,50)を少なくとも１つの姿勢に固定することができるロッキング手段が設けられていることを特徴とするラチス支持構造。
【請求項１４】
請求項１〜１３のいずれか１つに記載のラチス支持構造において、
上記ラチス材(10,10',20,30,50)相互の間隔を増大させ又は減少させることができ、それによって上記ラチス支持構造が展開され又は折り畳まれるように、少なくとも２つの上記連結ラチス材(20,30,50)、又は、長手方向に延びている少なくとも２つの上記ラチス材(10,10')に作用する手段が備えられていることを特徴とするラチス支持構造。
【請求項１５】
請求項１〜１４のいずれか１つに記載のラチス支持構造において、
上記連結ラチス材(20,30)の少なくとも２が、交差するように延びていて、且つ、それらの交点で上記連結ラチス材(50)のさらなる１つに連結されていることを特徴とするラチス支持構造。
【請求項１６】
請求項１〜１５のいずれか１つに記載のラチス支持構造において、
上記連結ラチス材(20,30)のうち少なくとも２つは、交差するように延びているとともに、上記連結ラチス材(50)のさらなる１つに、それらの交点で連結され、且つ、上記交点がさらなる上記連結ラチス材(50)の上記ジョイントに連結されることを特徴とするラチス支持構造。
【請求項１７】
広がることが可能な構造を有する、特に、請求項１〜１６のいずれか１つに記載のラチス支持構造において、
枢動可能に相互に連結される部分の一方が突起を有し、且つ、枢動可能に連結される部分の他方が、３面が壁に隣接し且つ他の一方の部分の上記突起が枢動可能に収容される溝を有するように、枢動可能な連結部が作られている、枢動可能に配置されたラチス材を備えていることを特徴とするラチス支持構造。
【請求項１８】
請求項１７記載のラチス支持構造において、
上記ラチス材は、上記突起を一方の端部に有し、且つ、上記溝を他方の端部に有していること、又は、上記ラチス材は、溝若しくは突起を両端部に有していることを特徴とするラチス支持構造。
【請求項１９】
請求項１７又は１８記載のラチス支持構造において、
上記ラチス材を一定の回転姿勢で固定するブレーキ手段が備えられていることを特徴とするラチス支持構造。
【請求項２０】
請求項１９記載のラチス支持構造において、
上記ブレーキ装置は、ドラムブレーキ又はシューブレーキとして作られていることを特徴とするラチス支持構造。
【請求項２１】
請求項２０記載のラチス支持構造において、
上記シューブレーキは、互いに枢動可能に連結された部分の一方に配置され、且つ、ブレーキの作動と同時に、互いに枢動可能に連結された部分の他方と接触する２つの突起を有していることを特徴とするラチス支持構造。
【発明の詳細な説明】
【技術分野】
【０００１】
本発明は、ラチス支持構造の長手方向に延びているラチス材、及び、直接間接を問わずそれらを連結しているラチス材を備え、ラチス支持構造の長手方向に延びているラチス材の間隔を、ラチス支持構造の折り畳み時に減少させ、且つ、ラチス支持構造の展開時に増大させることが可能となるように、連結ラチス材が長手方向に延びているラチス材に連結される、相互に連結されるラチス材を備えているラチス支持構造に関するものである。
【背景技術】
【０００２】
かかるラチス支持構造は、従来技術で知られている。
【０００３】
ラチス支持構造は、例えば、展開された状態で高い力学的歪みに曝されることが可能な安定した構造要素として用いることができる。かかるラチス支持構造の利点は、実質上、例えば輸送のために折り畳むことが可能であり、従って剛構造よりも実質的に扱い易いという事実にある。
【発明の概要】
【発明が解決しようとする課題】
【０００４】
冒頭で言及した類のラチス支持構造を有利な形でさらに発展させることが、本発明の根本的な目的である。
【課題を解決するための手段】
【０００５】
この目的は、請求項１の特徴を備えているラチス支持構造によって解決される。
【０００６】
ラチス支持構造の折り畳み時及び展開時に所定の位置に固定されるように、固定された態様で配置される、長手方向に延びている少なくとも１つのラチス材と、ラチス支持構造の折り畳み時及び展開時に移動するように、可動に配置される、長手方向に延びている少なくともさらに１つのラチス材とが備えられている。
【０００７】
それ故、本発明では、ラチス支持構造の長手方向に延びている、少なくとも１つ好ましくは複数のラチス材が、折り畳み時及び展開時に原位置に止まるように、換言すれば、長手方向に延びているさらなるラチス材が動くのに対して、移動しないようにしている。本発明のかかる実施形態は、長手方向に延びている固定ラチス材によってラチス支持構造を固定された態様で配置すること、及び、ラチス支持構造を要求に応じて展開し又は折り畳むことを可能にする。
【０００８】
本発明はさらに、ラチス支持構造の長手方向に延びているラチス材、及び、直接間接を問わずそれらを連結するラチス材を備え、ラチス支持構造の長手方向に延びているラチス材の間隔を、ラチス支持構造の折り畳み時に減少させ、且つ、ラチス支持構造の展開時に広げることができるように、連結ラチス材が長手方向に延びているラチス材に連結される、相互に連結されたラチス材を備えているラチス支持構造に関するものである。さらに、ラチス支持構造の折り畳み時及び展開時に、ラチス支持構造の長手方向に延びている他のラチス材に対して相対運動を行うように、長手方向に延びているラチス材が少なくとも２つ配置されている。
【０００９】
長手方向に延びているラチス材を連結するラチス材は、本発明に従った相対運動が可能となるように、長手方向に延びているラチス材に連結される。
【００１０】
ラチス支持構造の長手方向に延びている複数個のラチス材を並行して動かすことが、実際にはラチス支持構造の長手方向に延びている複数個のラチス材に対して動かすことが考えられる。それ故、例えば、長手方向に延び、且つ、そのうちの各２つのラチス材が同調して動く、４つのラチス材を備えること、及び、長手方向に延びている２つのラチス材が、ラチス支持構造の折り畳み時及び／又は展開時に、長手方向に延びているさらなる２つのラチス材に対して移動を行うことが考えられる。本発明は、当然ながら、長手方向に延びている４つのラチス材を備えているラチス支持構造には限定されない。４つよりも小さい数や４つよりも大きい数も、考えられるし、且つ、本発明の範囲内である。
【００１１】
請求項２記載のラチス支持構造は、請求項１の特徴部分で構成され、それ故に、長手方向に延びている固定ラチス材を備えていることを特徴とする。
【００１２】
長手方向に延びている固定ラチス材および長手方向に延びている可動ラチス材、又は、交互にお互いの次に来る、お互いに対して可動で且つ長手方向に延びているラチス材を備えることができる。
【００１３】
本発明のさらなる実施形態では、可動ラチス材はラチス支持構造の折り畳み及び展開時に移動し、その移動によって、長手方向に延びている可動ラチス材の、間隔およびラチス支持構造の長手方向における相対位置が、長手方向に延びている固定ラチス材に対して変化する。それ故、折り畳み時または展開時に、長手方向に延びている可動ラチス材が固定ラチス材に近づき又は固定ラチス材から離れること、及び、この間隔の変化に加えて、固定ラチス材と可動ラチス材との相対運動が、軸方向に、換言すれば、ラチス支持構造の長手方向に生じることが考えられる。
【００１４】
連結ラチス材を、ラチス支持構造の長手方向に延びているラチス材に、枢動可能に及び／又は移動可能に連結することが可能である。ラチス材は、長手方向に延びているラチス材上を動くスライディングスリーブを用いて、好ましくは枢動可能に連結可能であるという点において、移動可能な連結部が実現されると考えられる。
【００１５】
連結ラチス材は、ラチス支持構造の外表面に配置し得るのが好ましい。
【００１６】
ラチス支持構造の長手方向に延びているラチス材は、ラチス支持構造の外縁部を形成することができる。
【００１７】
ラチス支持構造の形状は限定されない。それ故、横断面で、三角形の、正方形の、長方形の又は多角形のラチス支持構造を提供することが考えられる。
【００１８】
この点で、これらのラチス支持構造の端点は、ラチス支持構造の長手方向に延びているラチス材によって形成されるのが好ましい。
【００１９】
ラチス支持構造は、長手方向に延びているラチス材及び連結ラチス材で構成される、長手方向に反復する構造を備えていることが望ましい。
【００２０】
本発明のさらなる実施形態では、ラチス支持構造が展開された状態では、ラチス支持構造の長手方向に延びているラチス材の一方から他方へ、ラチス支持構造の長手方向と垂直に延びる連結ストラットによって形成される、少なくともいくつかの連結ラチス材が備えられている。
【００２１】
これらの連結ストラットは、それによって当該連結ストラットを折り畳まれた状態ないし展開された状態に調整することができる、少なくとも１つのジョイントを備えることができる。
【００２２】
本発明のさらなる実施形態では、少なくとも一部分において相互に連結される連結ラチス材が備えられている。ラチス支持構造の長手方向に互いに間隔をおいて配置された連結ラチス材を、例えば、それによって連結ラチス材相互の間隔を変化させることができる、リンク機構によって又はメカニズムによって、互いに連結することが考えられる。このメカニズムは、ラチス支持構造全体の折り畳み又は展開を生じさせるために用いることができる。
【００２３】
展開されたラチス支持構造が不必要に崩れないことを確実にするために、ラチス支持構造は、それによって連結ラチス材を少なくとも１つの姿勢で固定することができるロッキング手段を備えることが可能である。
【００２４】
上記のように、連結ラチス材相互の間隔を増大させ又は減少させることができ、それによってラチス支持構造が展開され又は折り畳まれるように、少なくとも２つの連結ラチス材に作用する手段を備えることができる。
【００２５】
これらの手段は、例えば、モータ、空気圧、水圧、または他のやり方で操作され、且つ、連結ラチス材に作用するリンク機構によって形成することが可能である。ラチス支持構造の長手方向に延びているラチス材に作用し、且つ、実際にラチス支持構造が展開され又は折り畳まれるように、ラチス材相互の間隔を増大させ又は減少させる手段を設けることも通常当然ながら同様に考えられる。
【００２６】
本発明の他の実施形態では、交差するように延び、且つ、それらの交点でさらなる連結ラチス材へ連結される連結ラチス材が少なくとも２つ備えられている。
【００２７】
さらに、交差するように延び、且つ、それらの交点でさらなる連結ラチス材へ連結される、少なくとも２つの連結ラチス材と、さらなる連結ラチス材のジョイントへ連結される交点とを備えることも可能である。
【００２８】
さらに、本発明は、広がることが可能な構造を有するラチス支持構造に関し、特に、枢動可能に相互に連結される部分の一方が突起を有し、且つ、枢動可能に連結された部分の他方が、３面が壁に隣接し且つ他の一方の部分の突起が枢動可能に収容される溝を有するように、枢動可能な連結部が作られている、枢動可能に配置されたラチス材を備える、請求項１〜１６のいずれか１つに記載のラチス支持構造に関するものである。それ故、溝の底部は境界としての役目を果たし、これにより、ラチス材の回転は言及された部分の一方が溝底部に載るまでのみ可能となる。その結果、この姿勢では、ラチス材はブロックされ、又は、さらなる回転が不可能となる。かかる枢動可能な連結部は、ラチス材の２つのセグメントが枢動可能に相互に連結される所、及び／又は、ラチス材がラチス支持構造の他の部分へ枢動可能に連結される所に設けることができる。
【００２９】
ラチス材は、その一方の端部に突起を、且つ、その他方の端部に言及された溝を有するようにしてもよい。このようにして、複数個のラチス材をお互いに連結すること、又は、異なる長さのラチス材を備えることが可能となる。ラチス材の両端に、溝または言及された突起を作ることも一般に考えられる。
【００３０】
ラチス材を一定の回転姿勢で固定するブレーキ装置または固定装置を備えることは特に有利である。ブレーキ装置としては、例えば、ドラムブレーキ、ディスクブレーキ又はシューブレーキが可能である。ブレーキは、２つの突起を有し、例えば上記突起が同時に、各々隣接した部分に接触し、そして、このようにして理想的な制動効果を発現させるブレーキシューを備えることができる。
【００３１】
本発明のさらなる詳細及び利点は、図面に示されている実施形態を参照して、より詳しく説明される。
【図面の簡単な説明】
【００３２】
【図１】本発明に係るラチス支持セグメントの形をとる、ラチス支持構造の透視図である。
【図２】さらなる実施形態における、本発明に係るラチス支持構造セグメントの形をとるラチス支持構造の透視図である。
【図３】２つの組み立てられた、図２に係るラチス支持構造セグメントの透視図である。
【図４ａ】図２に係るラチス支持構造のさらなる透視図及び概略側面図及び平面図である。
【図４ｂ】図２に係るラチス支持構造のさらなる透視図及び概略側面図及び平面図である。
【図４ｃ】図２に係るラチス支持構造のさらなる透視図及び概略側面図及び平面図である。
【図４ｄ】図２に係るラチス支持構造のさらなる透視図及び概略側面図及び平面図である。
【図４ｅ】図２に係るラチス支持構造のさらなる透視図及び概略側面図及び平面図である。
【図５】さらなる実施形態における、本発明に係るラチス支持構造セグメントの形をとるラチス支持構造の透視図である。
【図６】さらなる実施形態における、本発明に係るラチス支持構造セグメントの形をとるラチス支持構造の透視図である。
【図７】さらなる実施形態における、本発明に係るラチス支持構造セグメントの形をとるラチス支持構造の透視図である。
【図８】本発明に係るラチス支持構造セグメントの形をとる、三角形の横断面を有するラチス支持構造の透視図である。
【図９ａ】図８に係るラチス支持構造セグメントの異なる図である。
【図９ｂ】図８に係るラチス支持構造セグメントの異なる図である。
【図９ｃ】図８に係るラチス支持構造セグメントの異なる図である。
【図９ｄ】図８に係るラチス支持構造セグメントの異なる図である。
【発明を実施するための形態】
【００３３】
図１は、本発明の第１実施形態におけるラチス支持構造またはラチス支持構造セグメントを示す透視図である。ラチス支持構造は、長手方向に延び、且つ、連結ラチス材２０，３０，５０によって相互に連結されるラチス材１０，１０’を備えている。この点で、連結ラチス材２０，３０，５０が、展開されたラチス支持構造の外表面に配置されているのに対して、長手方向に延びているラチス材１０，１０’は、縁部、又は、横断面でラチス支持構造の隅部を形成している。
【００３４】
図１によれば、ラチス材１０は、固定ラチス材を、換言すれば、ラチス支持構造の折り畳み時及び展開時に原位置にとどまる、すなわち動かないラチス材を形成している。それに対して、折り畳み時及び展開時に、ラチス材１０’は可動である。
【００３５】
連結ラチス材２０，３０は、それらの一方の端部において、長手方向に延びているラチス材１０，１０’のうちの１つに、枢動可能だが固定された形でそれぞれ配置されるように、且つ、それらの他方の端部において、スライディングスリーブ２０’，３０’によって、他のラチス材１０，１０’、好ましくは長手方向に隣接して延びているラチス材に対して移動可能に配置されるようにそれぞれ作られている。連結ラチス材２０，３０は、これらのスライディングスリーブ２０’，３０’に枢動可能に配置されているのが好ましい。
【００３６】
さらに、図１を見ても分かるように、長手方向に延びているラチス材１０，１０’を連結し、且つ、ラチス支持構造が展開された状態では、ラチス支持構造の長手方向と垂直に延びる、さらなるラチス材５０が存在している。これらの連結ラチス材５０又は連結ストラットは、ジョイントを有しており、当該ラチス材５０のアームがお互いに斜めに延びるように、当該ジョイントによって、図示の姿勢になるように外側に回転し、又は、それに関連して内側にも回転する。
【００３７】
さらに、図１を見ても分かるように、互いに長手方向に間隔をおいて配置された連結ラチス材５０同士を連結するロッド６０が設けられている。このようにして、これらのロッド６０を作動させることによって、ラチス支持構造の折り畳み又は展開を行うことが可能となる。これらのロッド６０は、モータ、空気圧、油圧、または、他のやり方（例えば手動でも）で動かすことが可能である。
【００３８】
ヒンジと同じように枢動可能であり、且つ、展開された状態では、ラチス支持構造を固定する役目をこなす連結ストラットには参照番号７０が付されている。このストラット７０は、図１を見ても分かるように、長手方向に延びている２つのラチスストラット１０’の間で対角線上に延びている。
【００３９】
図２は、横断面が多角形である点で、図１に示すラチス支持構造とは異なるラチス支持構造またはラチス支持構造セグメントを示す。この場合は、ラチス支持構造は、その縁部が長手方向に延びているラチス材１０，１０’によって形成される六面構造である。図１と同様に、長手方向に延びている固定ラチス材１０は、長手方向に可動なラチス材１０’と互い違いに並んでいる。
【００４０】
さらに、図２を見ても分かるように、連結ラチス材８０，９０は、ラチス支持構造の端部に備えられており、且つ、長手方向に延びているラチス材１０又は１０’のうちの３つにそれぞれ連結されている。この点で、リンク機構８０は３つの固定ラチス材１０に連結し、且つ、リンク機構９０は３つの可動ラチス材１０’に連結する。
【００４１】
図３は、図２に係るラチス支持構造セグメントを２つ備えるラチス支持構造を示す。２つのラチス支持構造セグメントは、長手方向に延びているラチス材１０，１０’によって、それらの端部で相互に連結されている。
【００４２】
図２に係るラチス支持構造のさらなる透視図及び側面図を図４に見ることができる。図４ａ及び図４ｂは、ラチス支持構造を側面図で示している。図２に係るラチス支持構造の透視図は、図４ｃ及び図４ｄに示され、また、図４ｅは、ラチス支持構造の多角形構造によって生じる、ラチス支持構造の横断面図または平面図を示している。
【００４３】
図５は、本発明に係るラチス支持構造のさらなる実施形態を示している。図１に係る実施形態との違いは、図５を見ても分かるように、特に、連結ラチス材２０，３０が交差するように延びているという点にある。交差するように延びているラチス材２０，３０は、それらの一方の端部で、ラチス材１０又は１０’のうちの１つにそれぞれ枢動可能に配置され、且つ、それらの他方の端部で、長手方向に延びているラチス材１０，１０’の１つの上で移動可能に延びているスライディングスリーブ２０’，３０’に枢動可能に配置されている。
【００４４】
図６は、連結ラチス材２０，３０の交点が、長手方向に延びているラチス材の１つの付近ではなく、図５を見ても分かるように、ラチス支持構造の外表面の約中央に配置されている、本発明のさらなる実施形態を示す。
【００４５】
さらに、図６を見れば分かるように、リンク機構は、各々長手方向に延びているラチス材１０，１０’のうちの１つに連結され且つ共通の結合点１３０に集まっているロッド１２０で構成される。それ故、ロッド１２０は、さらに図６を見れば分かるように、互いに隣接して互いに相殺する２つの角錐台を伴う、角錐台構造を有している。これらのリンク機構１２０は、結合点の作動によって、ラチス支持構造の折り畳み又は展開を行う働きをする。
【００４６】
図７は、本発明に係るラチス支持構造のさらなる実施形態を示す。図７を詳しく見れば分かるように、連結ラチス材２０，３０は、お互いに連結されている他、例えば、ボルト継ぎ手によって、さらなる連結ラチス材５０にもヒンジ連結されている。ラチス支持構造の折り畳み時または展開時には、連結ラチス材２０，３０は交点１５０周りに回転し、それと同時に、連結ラチス材５０が、交点１５０と同一平面であり且つ適切な方法で交点１５０に連結されている、それらのジョイント周りに回転する。
【００４７】
図８は、横断面で三角形の構造を備えるラチス支持構造のさらなる実施形態を示す。
【００４８】
図９は、このラチス支持構造のさらなる図である。この点で、図９ａ及び図９ｂは、ラチス支持構造またはラチス支持構造セグメントの側面図であり、且つ、図９ｃ及び図９ｄは、ラチス支持構造またはラチス支持構造セグメントの透視図である。
【産業上の利用可能性】
【００４９】
本発明に係るラチス支持構造またはラチス支持構造セグメントは、非常に多様な適用目的のための構造要素として、例えば、足場、輸送システム、クレーンの構成要素などとしての役割を果たす。
【図１】
2011527388.tif 000003
【図２】
2011527388.tif 000004
【図３】
2011527388.tif 000005
【図４ａ】
2011527388.tif 000006
【図４ｂ】
2011527388.tif 000007
【図４ｃ】
2011527388.tif 000008
【図４ｄ】
2011527388.tif 000009
【図４ｅ】
2011527388.tif 000010
【図５】
2011527388.tif 000011
【図６】
2011527388.tif 000012
【図７】
2011527388.tif 000013
【図８】
2011527388.tif 000014
【図９ａ】
2011527388.tif 000015
【図９ｂ】
2011527388.tif 000016
【図９ｃ】
2011527388.tif 000017
【図９ｄ】
2011527388.tif 000018
【国際調査報告】
2011527388.tif 000019
2011527388.tif 000020
2011527388.tif 000021
2011527388.tif 000022
2011527388.tif 000023
2011527388.tif 000024